(57)【要約】【課題】パネルとアンカーボルトとの間に構造物を固定する。【解決手段】本体２００（構造物本体）は、伸縮可能な当接金具２５０（伸縮部）を備える。本体２００は、当接金具２５０を縮めると、パネル５４０の開口穴５４１を通る大きさになり、当接穴具２５０を伸ばすと、開口穴５４１を通らない大きさになる。取付ナット１００（固定具）は、アンカーボルト５２０に螺合する。設置時には、取付ナット１００の当接面１１３が、本体２００をパネル５４０の方向へ押さえる。【選択図】図５
2010277739.tif 000002
【特許請求の範囲】
【請求項１】
開口穴を有するパネルと、上記開口穴に対向して設けられたアンカーボルトとの間に設置される構造物において、
伸縮可能な伸縮部を備え、上記伸縮部を縮めた場合に上記開口穴より小さく、上記伸縮部を伸ばした場合に上記開口穴より大きい構造物本体と、
上記アンカーボルトに螺合する雌ネジ部と、設置時に、上記構造物本体と当接して上記構造物本体を上記パネルの方向へ押さえる当接面とを備える固定具とを有することを特徴とする構造物。
【請求項２】
上記固定具は、上記雌ネジ部の軸線に略平行な略柱状の操作部を備え、
上記雌ネジ部は、上記操作部を貫通し、
上記構造物本体は、略板状の上面部を備え、
上記上面部は、上記操作部を挿通可能な上面貫通穴を有し、設置時に、上記パネルと略平行となり、上記固定具の当接面と当接することを特徴とする請求項１に記載の構造物。
【請求項３】
上記操作部は、上記構造物本体の内側から操作することにより、上記固定具に対して、上記雌ネジ部の軸線を中心軸とするトルクを加えることが可能であることを特徴とする請求項２に記載の構造物。
【請求項４】
上記伸縮部は、上記構造物本体の内側から操作することにより、伸縮可能であることを特徴とする請求項１乃至請求項３のいずれかに記載の構造物。
【請求項５】
上記構造物本体は、上記伸縮部を挿通可能な伸縮挿通穴を複数備え、
上記伸縮部は、上記伸縮挿通穴のいずれかに挿通されることを特徴とする請求項１乃至請求項４のいずれかに記載の構造物。
【請求項６】
上記当接面は、上記雌ネジ部を上記アンカーボルトに螺合させたのち、上記雌ネジ部を緩めることにより、上記構造物本体と当接して上記構造物本体を上記パネルの方向へ押さえることを特徴とする請求項１乃至請求項５のいずれかに記載の構造物。
【請求項７】
上記伸縮部は、伸ばした状態で、上記固定具が上記構造物本体を上記パネルの方向へ押さえることにより、上記パネルと当接し、上記構造物本体を固定することを特徴とする請求項１乃至請求項６のいずれかに記載の構造物。
【請求項８】
開口穴を有するパネルと、上記開口穴に対向して設けられたアンカーボルトとの間に、構造物本体を固定する固定具において、
上記アンカーボルトに螺合する雌ネジ部と、
上記構造物本体と当接して上記構造物本体を上記パネルの方向へ押さえる当接面とを有することを特徴とする固定具。
【請求項９】
請求項１乃至請求項７のいずれかに記載の構造物と、
光源と、
上記構造物に内蔵され、上記光源を点灯する点灯装置とを有することを特徴とする照明器具。
【発明の詳細な説明】
【技術分野】
【０００１】
この発明は、建造物の天井面などに設けられたパネルの裏側に埋め込んで使用される構造物に関する。
【背景技術】
【０００２】
建造物の躯体にパネルを固定して天井面や壁面を形成している場合において、ボックス型の機器などの構造物をパネルの裏側に埋め込み、パネルに設けられた開口穴から構造物の一部のみを露出させて設置する場合がある。
そのような構造物の設置方式には、例えば、躯体にアンカーボルト（インサートボルト）を固定し、アンカーボルトに螺合する取付ナットを用いて構造物を固定する方式がある。
【先行技術文献】
【特許文献】
【０００３】
【特許文献１】特開平６−２６７３１２号公報
【特許文献２】特開平９−２１３２７５号公報
【発明の概要】
【発明が解決しようとする課題】
【０００４】
躯体とパネルとの間に、作業者が入って取り付け作業をできるほどの空間が存在しない場合、取付ナットが構造物をパネルから離れる方向に押さえることにより、構造物を建造物に固定する。構造物には、例えば、パネルに設けられた開口穴よりも大きい枠を設け、枠が開口穴の周囲に当接することにより、構造物が、必要以上にパネルの裏側に引き込まれるのを防ぐ。
このような設置方式では、枠がパネルより外側（室内側）に突出することになるので、デザインの自由度が低く、美観を損ねる場合がある。
この発明は、例えば上記のような課題を解決するためになされたものであり、デザインの自由度を確保しつつ、構造物をパネルとアンカーボルトとの間に固定することを目的とする。
【課題を解決するための手段】
【０００５】
この発明にかかる構造物は、開口穴を有するパネルと、上記開口穴に対向して設けられたアンカーボルトとの間に設置される構造物において、伸縮可能な伸縮部を備え、上記伸縮部を縮めた場合に上記開口穴より小さく、上記伸縮部を伸ばした場合に上記開口穴より大きい構造物本体と、上記アンカーボルトに螺合する雌ネジ部と、設置時に、上記構造物本体と当接して上記構造物本体を上記パネルの方向へ押さえる当接面とを備える固定具とを有することを特徴とする。
【発明の効果】
【０００６】
この発明にかかる構造物によれば、伸縮部を伸ばして、構造物本体を固定具がパネルの方向へ押さえることにより、構造物本体をパネルとアンカーボルトとの間に固定することができる。構造物に、パネルよりも外側（室内側）に突出した部分を設ける必要がないので、デザインの自由度を確保することができる。
【図面の簡単な説明】
【０００７】
【図１】実施の形態１における構造物８００を異なる二方向から見た斜視図。
【図２】実施の形態１における構造物８００を取り付ける建造物５００の一部を示す斜視図。
【図３】実施の形態１における取付ナット１００・本体２００・枠３００を異なる二方向から見た分解斜視図。
【図４】実施の形態１における構造物８００を建造物５００に取り付ける手順を示す模式図。
【図５】実施の形態１における構造物８００を建造物５００に取り付ける手順の続きを示す模式図。
【図６】実施の形態１における取付ナット１００の変形例を示す斜視図。
【図７】実施の形態１における本体２００の変形例を示す斜視図。
【図８】実施の形態１における当接金具２５０の更に別の変形例２５０ａ〜２５０ｄを示す斜視図。
【図９】実施の形態２における取付ナット１００を異なる二方向から見た斜視図。
【図１０】実施の形態２における構造物８００を建造物５００に取り付ける手順を示す模式図。
【図１１】実施の形態３における本体２００を異なる二方向から見た斜視図。
【図１２】実施の形態３における構造物８００を建造物５００に取り付けた上体を示す模式図。
【発明を実施するための形態】
【０００８】
実施の形態１．
実施の形態１について、図１〜図８を用いて説明する。
【０００９】
図１は、この実施の形態における構造物８００を異なる二方向から見た斜視図である。
構造物８００（埋込機器）は、例えば埋め込み型の照明器具や人感センサなどであり、天井面などに埋め込んで使用する。構造物８００は、取付ナット１００、本体２００、枠３００を有する。
取付ナット１００（固定具）は、構造物８００を建造物に固定するための部品である。本体２００（構造物本体）は、中空であり、点灯装置・ランプ・センサなどを内蔵する。枠３００は、構造物８００を埋め込んだとき、室内から見える部分である。
【００１０】
図２は、この実施の形態における構造物８００を取り付ける建造物５００の一部を示す斜視図である。
建造物５００は、躯体５１０、アンカーボルト５２０、パネル５４０を有する。
躯体５１０は、例えばコンクリートなどで構成されている。アンカーボルト５２０（インサートボルト）は、略円柱状であり、躯体５１０に固定されている。パネル５４０は、略板状であり、部屋の天井や壁などを構成する。パネル５４０は、吊り金具５３０などの取付部材により、躯体５１０との間に所定の間隔を設けて固定されている。パネル５４０と躯体５１０との間の間隔は、例えば数ｃｍ〜数十ｃｍであり、作業者が中に入って作業できるほどの広さはない。パネル５４０には、アンカーボルト５２０のほぼ正面に当たる位置に開口穴５４１（被取付穴）が設けられている。
構造物８００は、開口穴５４１から、パネル５４０と躯体５１０との間に挿入し、アンカーボルト５２０に固定して設置する。
【００１１】
図３は、この実施の形態における取付ナット１００・本体２００・枠３００を異なる二方向から見た分解斜視図である。
【００１２】
本体２００（埋込構造物）は、上面部２１０、側面部２２０、下面部２３０からなるケースと、３つの当接金具２５０とを有する。
側面部２２０は、略円筒形板状である。側面部２２０は、３つのスリット２２１を有する。３つのスリット２２１（当接金具取付穴）は、側面部２２０の一方の端（以下「下端」と呼ぶ。）から、ほぼ同じ距離離れた位置に設けられている。３つのスリット２２１は、下端に対して略平行な切れ目である。３つのスリット２２１は、側面部２２０の中心軸を中心として、互いに１２０度ずつ離れている。
上面部２１０は、略円板状である。上面部２１０は、側面部２２０の下端と反対側の端（以下「上端」と呼ぶ。）の底面をなす。上面部２１０は、ほぼ中央に上面貫通穴２１１を有する。上面貫通穴２１１（取り付け穴・操作部取付穴）は、上面部２１０を貫通する略円形の穴である。
下面部２３０は、略円板状である。下面部２３０は、側面部２２０の下端の底面をなす。下面部２３０は、ほぼ中央に下面開口部２３１を有する。下面開口部２３１は、略円形の貫通穴である。また、下面部２３０は、２つのネジ穴２３２を有する。
【００１３】
当接金具２５０（伸縮部）は、スリット２２１に差し込んで、側面部２２０に取り付けることができる。このとき、当接金具２５０は、自在にスライド（摺動）させて、伸縮することができる。当接金具２５０は、例えば、断面コ字状の金属板である。当接金具２５０は、基部２５１、外爪部２５２、内爪部２５３を有する。基部２５１は、略長方形板状である。外爪部２５２は、略長方形板状である。外爪部２５２の一辺は、基部２５１の一辺（以下「外側辺」と呼ぶ。）に連なっている。外爪部２５２は、基部２５１に対してほぼ垂直である。内爪部２５３は、略長方形板状である。内爪部２５３の一辺は、基部２５１の外側辺の対辺（以下「内側辺」と呼ぶ。）に連なっている。内爪部２５３は、基部２５１に対してほぼ垂直であり、外爪部２５２に対してほぼ平行である。内爪部２５３は、基部２５１に対して、外爪部２５２と同じ側に位置する。
【００１４】
上述したように、スリット２２１には、当接金具２５０を差し込んで、自在にスライド可能に取り付けることができる。すなわち、スリット２２１の長さは、当接金具２５０の幅よりも長く、また、スリット２２１の幅は、当接金具２５０の厚さよりも長い。
側面部２２０に当接金具２５０を取り付けて、内側にスライドさせて収納した状態（縮めた状態）において、当接金具２５０を含めた本体２００全体が、パネル５４０の開口穴５４１を通る大きさになる。また、本体２００を開口穴５４１に挿入したのち、当接金具２５０を外側にスライドさせて展開する（伸ばす）と、当接金具２５０が開口穴５４１周辺のパネル５４０に当たり、構造物８００を開口穴５４１を通らない大きさになり、構造物８００の落下を防止できる。すなわち、当接金具２５０を縮めると、本体２００は開口穴５４１より小さくなり、当接金具２５０を伸ばすと、本体２００は、開口穴５４１より大きくなる。
【００１５】
取付ナット１００は、アンカーボルト５２０と螺合して、本体２００を押さえることにより、本体２００を建造物５００に固定する。取付ナット１００は、当接部１１０、操作部１２０を有する。
当接部１１０は、略円柱状である。当接部１１０の直径は、上面貫通穴２１１の直径よりも大きい。当接部１１０は、上面１１１、側面１１２、当接面１１３を有する。上面１１１は、当接部１１０の一方の底面であり、略円状である。側面１１２は、当接部１１０の側面であり、略円柱面状である。当接面１１３（構造物上面当接部）は、当接部１１０の他方の底面であり、本体２００の上面部２１０と当接することにより、本体２００を押さえる。
操作部１２０は、略円柱状である。操作部１２０の直径は、上面貫通穴２１１の直径よりも小さい。操作部１２０の中心軸は、当接部１１０の中心軸とほぼ一致している。操作部１２０は、側面１２２、下面１２３を有する。側面１２２は、操作部１２０の側面であり、略円柱面状である。下面１２３は、操作部１２０の一方の底面である。当接部１１０と操作部１２０とは、中心軸がほぼ同じであり、一体に形成されている。
【００１６】
また、取付ナット１００は、雌ネジ部１３０を有する。雌ネジ部１３０（ネジ込み部）は、アンカーボルト５２０の雄ネジ５２１と螺合するネジ穴であり、当接部１１０及び操作部１２０を貫通している。
【００１７】
枠３００は、パネル５４０の開口穴５４１とほぼ同じ大きさであり、開口穴５４１を塞ぐ。枠３００は、側面部３２０・下面部３３０からなる化粧板と、２つのネジ３５０とを有する。
側面部３２０は、略円筒形板状である。側面部３２０の直径は、開口穴５４１の直径とほぼ等しく、開口穴５４１に挿入することができる。
下面部３３０は、略円板状である。下面部３３０は、側面部３２０の一方の端の底面をなす。下面部３３０は、構造物８００を建造物５００に取り付けたのち、室内から見える部分である。下面部３３０は、ほぼ中央に下面開口部３３１を有する。下面開口部３３１は、略円状の貫通穴である。本体２００の下面部２３０が室内から見えないよう、下面開口部３３１の直径は、下面部２３０の下面開口部２３１の直径よりも小さい。また、下面部３３０は、２つのネジ穴３３２を有する。ネジ穴３３２は、下面部２３０のネジ穴２３２と対応する位置に設けられている。
２つのネジ３５０は、ネジ穴３３２に挿通し、ネジ穴２３２に螺合することにより、枠３００を本体２００に固定する。また、ネジ３５０の締め付けを調整することにより、側面部２２０の下面部２３０と、枠３００の下面部３３０との間の距離を微調整することができる。
【００１８】
図４は、この実施の形態における構造物８００を建造物５００に取り付ける手順を示す模式図である。
まず、作業者は、開口穴５４１から取付ナット１００をパネル５４０の内側に挿入し、操作部１２０を持って、雌ネジ部１３０の中心軸を中心に取付ナット１００を回転させることにより、雌ネジ部１３０をアンカーボルト５２０の雄ネジ５２１に螺合させる（固定具螺合工程）。
【００１９】
図５は、この実施の形態における構造物８００を建造物５００に取り付ける手順の続きを示す模式図である。
次に、作業者は、本体２００に当接金具２５０を取り付け、当接金具２５０を縮めた状態で、開口穴５４１に挿入する（本体挿入工程）。上面貫通穴２１１の直径は操作部１２０の直径より大きいので、操作部１２０が上面貫通穴２１１のなかを通り、上面部２１０が当接面１１３に当接する位置まで、本体２００を入れることができる。このとき、当接金具２５０がパネル５４０の内側に入るよう、固定具螺合工程では、取付ナット１００を比較的奥までアンカーボルト５２０にねじ込んでおく。
当接金具２５０がパネル５４０の内側まで入ったら、作業者は、本体２００の内側から、当接金具２５０の内爪部２５３を押して、当接金具２５０を伸ばすことにより、本体２００が開口穴５４１から抜けないよう、本体２００を大きくする（本体伸展工程）。
【００２０】
次に、作業者は、本体２００の内側から、取付ナット１００の操作部１２０を持って、雌ネジ部１３０の中心軸を中心に取付ナット１００をアンカーボルト５２０から外す方向（緩める方向）に回転させる。これにより、当接面１１３とパネル５４０との間の距離が縮まり、当接面１１３が上面部２１０の外側に当接し、当接金具２５０の基部２５１がパネル５４０の裏側に当接して、本体２００が、取付ナット１００とパネル５４０との間に挟まれて固定される（本体挟持工程）。
【００２１】
本体２００が固定されたのち、作業者は、ネジ３５０を用いて、枠３００を本体２００に固定する。作業者は、枠３００の下面部３３０がパネル５４０の外側（室内側）の面とほぼ同じ平面になるよう、ネジ３５０の締め付け具合を調整する（枠取付工程）。
【００２２】
これにより、下面部３３０がパネル５４０の室内側の意匠面とほぼ同じ平面となるので、枠３００が室内側に突出せず、デザイン性に優れる。
なお、好みにより、枠３００がパネル５４０から少し突出した形に取り付けることもできるし、逆に、枠３００がパネル５４０から少し凹んだ形に取り付けることもできる。すなわち、デザインの自由度が高くなる。
【００２３】
構造物８００は、開口穴５４１を有するパネル５４０と、開口穴５４１に対向して設けられたアンカーボルト５２０との間に設置されるものである。構造物本体２００は、伸縮可能な伸縮部（当接金具２５０）を備え、伸縮部を縮めた場合に開口穴５４１より小さく、伸縮部を伸ばした場合に開口穴５４１より大きいので、伸縮部を縮めることにより、構造物本体２００を開口穴５４１からパネル５４０とアンカーボルト５２０との間に挿入することができ、伸縮部を伸ばすことにより、構造物本体２００が開口穴５４１から抜けるのを防ぐことができる。また、固定具（取付ナット１００）は、アンカーボルト５２０に螺合する雌ネジ部１３０と、設置時に、構造物本体２００と当接して構造物本体２００をパネル５４０の方向へ押さえる当接面１１３とを備えるので、固定具とパネル５４０との間に構造物本体２００を挟んで固定することができる。
【００２４】
固定具（取付ナット１００）は、雌ネジ部１３０の軸線に略平行な略柱状の操作部１２０を備え、雌ネジ部１３０は操作部１２０を貫通し、構造物本体２００は略板状の上面部２１０を備え、上面部２１０は操作部１２０を挿通可能な上面貫通穴２１１を有し、設置時に上記パネル５４０と略平行となり、上記固定具の当接面１１３と当接するので、操作部１２０を上面部２１０の内側から操作することができ、これにより、固定具とパネル５４０との間に構造物本体２００を挟んで固定することができる。したがって、パネル５４０の裏側に作業者が入って構造物８００の取付け作業をする空間がない場合であっても、構造物８００を建造物５００に取り付けることができる。
【００２５】
操作部１２０は、上記構造物本体２００の内側から操作することにより、上記固定具（取付ナット１００）に対して、上記雌ネジ部１３０の軸線を中心軸とするトルクを加えることが可能なので、アンカーボルト５２０と螺合した取付ナット１００を緩めることにより、固定具とパネル５４０との間に構造物本体２００を挟んで固定することができる。したがって、パネル５４０の裏側に作業者が入って構造物８００の取付け作業をする空間がない場合であっても、構造物８００を建造物５００に取り付けることができる。
【００２６】
なお、操作部１２０の形状は、略円柱状に限らず、他の形状であってもよい。操作部１２０は、上面部２１０の上面貫通穴２１１を通すことができ、構造物本体２００の内側から操作することにより、雌ネジ部１３０の中心軸を中心として取付ナット１００を回転させることができる形状であればよい。
【００２７】
図６は、この実施の形態における取付ナット１００の変形例を示す斜視図である。
この変形例において、操作部１２０は、略六角柱状である。操作部１２０が略六角柱状であることにより、操作部１２０を手で持って取付ナット１００を回転する場合、レンチなどの工具を用いて取付ナット１００を回転する場合、いずれの場合でも、取付ナット１００を回転する操作が容易となる。
【００２８】
このほか、例えば、操作部１２０の側面１２２に滑り止めとなる多数の小突起を設けてもよい。
【００２９】
伸縮部（当接金具２５０）は、上記構造物本体２００の内側から操作することにより伸縮可能なので、パネル５４０の裏側に作業者が入って構造物８００の取付け作業をする空間がない場合であっても、構造物８００を建造物５００に取り付けることができる。
【００３０】
当接面１１３は、上記雌ネジ部１３０を上記アンカーボルト５２０に螺合させたのち、上記雌ネジ部１３０を緩めることにより、上記構造物本体２００と当接して上記構造物本体２００を上記パネル５４０の方向へ押さえるので、固定具とパネル５４０との間に構造物本体２００を挟んで固定することができる。
【００３１】
伸縮部（当接金具２５０）は、伸ばした状態で、上記固定具（取付ナット１００）が上記構造物本体２００を上記パネル５４０の方向へ押さえることにより、上記パネル５４０と当接し、上記構造物本体２００を固定するので、パネル５４０の外側（室内側）に突出する部分なしに、構造物８００を建造物５００に固定することができる。
【００３２】
なお、伸縮部（当接金具２５０）の数は、３つに限らず、２つ以下でもよいし、４つ以上でもよい。伸縮部の数が１つの場合、伸縮部の反対側にあたる側面部２２０の外側に、伸縮しない突起を設け、パネル５４０と当接させる構成としてもよい。
【００３３】
また、伸縮部（当接金具２５０）の形状は、上述した形状に限らず、他の形状であってもよい。
【００３４】
図７は、この実施の形態における本体２００の変形例を示す斜視図である。
当接金具２５０は、外爪部２５２を有さず、その代わり、２つの補強部２５４、２つの抜止部２５５を有する。補強部２５４は、略長方形板状である。補強部２５４の一辺は、基部２５１の内側辺の側辺に連なっている。補強部２５４は、基部２５１及び内爪部２５３に対してほぼ垂直であり、互いにほぼ平行である。抜止部２５５は、補強部２５４のうち内爪部２５３に近い側の部分であり、補強部２５４よりも高くなっている。
スリット２２１は、略コ字状である。スリット２２１は、基部２５１及び補強部２５４が通る形状であるが、抜止部２５５は通らない。したがって、当接金具２５０は、側面部２２０の内側からスリット２２１に通して、側面部２２０に取り付ける。当接金具２５０を伸ばすと、抜止部２５５が側面部２２０の内側に当接して、当接金具２５０をそれ以上伸ばすことができなくなる。
補強部２５４及び抜止部２５５があることにより、当接金具２５０の変形を防ぐことができる。
【００３５】
図８は、この実施の形態における当接金具２５０の更に別の変形例２５０ａ〜２５０ｄを示す斜視図である。
なお、スリット２２１の形状は、図７で説明したものと同様である。
【００３６】
当接金具２５０ａは、補強部２５４の上端に、鋸歯状の凹凸を設けたものである。取付ナット１００とパネル５４０との間に本体２００が固定された状態において、スリット２２１と補強部２５４とが噛み合うことにより、当接金具２５０ａがスライドするのを防ぐ。
【００３７】
当接金具２５０ｂは、補強部２５４と抜止部２５５との間に切欠部２５６を設けたものである。切欠部２５６の幅は、側面部２２０の厚さより大きい。取付ナット１００とパネル５４０との間に本体２００が固定された状態において、スリット２２１と切欠部２５６とが噛み合うことにより、当接金具２５０ｂがスライドするのを防ぐ。
【００３８】
当接金具２５０ｃは、補強部２５４の先端に突起部２５７を設けたものである。取付ナット１００とパネル５４０との間に本体２００が固定された状態において、当接金具２５０ｃがスライドして外れそうになったとしても、突起部２５７がスリット２２１に引っ掛かり、当接金具２５０ｃが外れるのを防ぐことができる。
【００３９】
当接金具２５０ｄは、基部２５１の中程、内爪部２５３寄りの位置に略コ字状の切り込みを入れ、内爪部２５３と反対の方向に折り曲げることにより、折曲部２５８及び開口部２５９を形成したものである。本体２００の中心軸から見て、スリット２２１と同じ方向にネジ穴２３２を設け、枠３００をネジ３５０で固定することにより、折曲部２５８が、側面部２２０とネジ３５０との間に挟まれ、当接金具２５０ｄがスライドするのを防ぐとともに、当接金具２５０ｄが傾くのも防ぐことができる。
【００４０】
固定具（取付ナット１００）は、開口穴５４１を有するパネル５４０と、開口穴５４１に対向して設けられたアンカーボルト５２０との間に、構造物本体２００を固定するものであり、アンカーボルト５２０に螺合する雌ネジ部１３０と、構造物本体２００と当接して構造物本体２００を上記パネル５４０の方向へ押さえる当接面１１３とを有するので、固定具とパネル５４０との間に構造物本体２００を挟んで固定することができる。
【００４１】
以上のような構造物を、例えば、点灯装置や光源を内蔵する照明器具や、人感センサや照度センサを内蔵するセンサ装置に用いることにより、美観に優れた照明器具やセンサ装置を、居室などの室内に設置することができる。
【００４２】
このように、躯体５１０とパネル５４０との間に、手や工具などを操作する十分な作業スペースがない場合であっても、構造物の裏から手前に向けて取付ナット１００で締め上げて、構造物８００を固定することができる。これにより、構造物８００に、パネル５４０の手前側に突出した枠などを設ける必要がないので、天井面や壁面に凹凸のない形状に仕上げることができるなど、デザインの自由度を確保することができる。
【００４３】
実施の形態２．
実施の形態２について、図９〜図１０を用いて説明する。
なお、実施の形態１と共通する部分については、同一の符号を付し、説明を省略する。
【００４４】
図９は、この実施の形態における取付ナット１００を異なる二方向から見た斜視図である。
操作部１２０は、側面１２２に雄ネジが設けられている。側面１２２に設けられた雄ネジの一部は、ネジ山を削り取って平らにし、操作面１２５を設けている。操作面１２５は、図示していない反対側にも設けられている。
【００４５】
取付ナット１００は、更に、補助ナット１５０を有する。補助ナット１５０は、一般的なナットと同じく、略六角柱状であり、上面１５１、側面１５２、下面１５３、雌ネジ部１５４を有する。側面１５２は、６つの略長方形からなり、六角柱の側面をなす。上面１５１及び下面１５３は、略六角形であり、六角柱の底面をなす。雌ネジ部１５４は、六角柱の中心軸を中心とした雌ネジであり、側面１２２に設けられた雄ネジと螺合する。
【００４６】
固定具螺合工程及び本体挟持工程において、作業者は、操作面１２５を手で持って、あるいは工具を操作面１２５に当てて、取付ナット１００を回転させる。
【００４７】
図１０は、この実施の形態における構造物８００を建造物５００に取り付ける手順を示す模式図である。
実施の形態１で説明した手順により、構造物８００を建造物５００に取り付けたのち、作業者は、補助ナット１５０を本体２００の内側に挿入し、補助ナット１５０を回転させることにより、操作部１２０の側面１２２に設けられた雄ネジに雌ネジ部１５４を螺合させる（補助螺合工程）。
これにより、当接面１１３と上面１５１との間に、本体２００の上面部２１０が挟み込まれる。
なお、補助螺合工程は、枠取付け工程よりも前に実行してもよい。
【００４８】
このように、補助ナット１５０と取付ナット１００との間に、上面部２１０を挟みこむことにより、当接金具２５０が万が一スライドして縮まったとしても、本体２００が開口穴５４１から抜け落ちて落下するのを防ぎ、構造物８００を確実に固定することができる。
【００４９】
なお、側面１２２に設ける雄ネジ及び補助ナット１５０の雌ネジ部１５４は、逆ネジであってもよい。そうすれば、補助ナット１５０を締めるとき、取付ナット１００全体が回転するのを防ぐことができる。
【００５０】
実施の形態３．
実施の形態３について、図１１〜図１２を用いて説明する。
なお、実施の形態１と共通する部分については、同一の符号を付し、説明を省略する。
【００５１】
図１１は、この実施の形態における本体２００を異なる二方向から見た斜視図である。
側面部２２０には、多数のスリット２２１が設けられている。スリット２２１は、例えば、互いに１２０度ずつ離れた３つのスリット２２１が１つのグループをなし、各グループ内のスリット２２１は、下面部２３０からの距離がほぼ同じであり、異なるグループのスリット２２１は、下面部２３０からの距離が異なる。
【００５２】
図１２は、この実施の形態における構造物８００を建造物５００に取り付けた上体を示す模式図である。
当接金具２５０を取り付けるスリット２２１を変えることにより、当接金具２５０の基部２５１と下面部２３０との距離を変えることができるので、パネル５４０の厚さが異なる場合でも、枠３００の下面部３３０が、パネル５４０の外側（室内側）の面と同一平面となるよう調整できるようにすることができる。
【００５３】
このように、構造物本体２００は上記伸縮部（当接金具２５０）を挿通可能な伸縮挿通穴（スリット２２１）を複数備え、上記伸縮部は上記伸縮挿通穴のいずれかに挿通されるので、伸縮挿通穴の位置により、構造物８００の取り付け位置を調整することができ、例えばパネル５４０の厚さが異なる場合にも対応することができる。
【００５４】
なお、スリット２２１の配置は、例えば階段状の配置であってもよいし、縦に並んだ配置であってもよい。
【符号の説明】
【００５５】
１００  取付ナット、１１０  当接部、１１１  上面、１１２  側面、１１３  当接面、１２０  操作部、１２２  側面、１２３  下面、１２５  操作面、１３０  雌ネジ部、１５０  補助ナット、１５１  上面、１５２  側面、１５３  下面、１５４  雌ネジ部、２００  本体、２１０  上面部、２１１  上面貫通穴、２２０  側面部、２２１  スリット、２３０  下面部、２３１  下面開口部、２３２  ネジ穴、２５０  当接金具、２５１  基部、２５２  外爪部、２５３  内爪部、２５４  補強部、２５５  抜止部、２５６  切欠部、２５７  突起部、２５８  折曲部、２５９  開口部、３００  枠、３２０  側面部、３３０  下面部、３３１  下面開口部、３３２  ネジ穴、３５０  ネジ、５００  建造物、５１０  躯体、５２０  アンカーボルト、５２１  雄ネジ、５３０  吊り金具、５４０  パネル、５４１  開口穴、８００  構造物。
【図１】
2010277739.tif 000003
【図２】
2010277739.tif 000004
【図３】
2010277739.tif 000005
【図４】
2010277739.tif 000006
【図５】
2010277739.tif 000007
【図６】
2010277739.tif 000008
【図７】
2010277739.tif 000009
【図８】
2010277739.tif 000010
【図９】
2010277739.tif 000011
【図１０】
2010277739.tif 000012
【図１１】
2010277739.tif 000013
【図１２】
2010277739.tif 000014